(57)【要約】【課題】ロッドアンテナである第１のアンテナを使用する場合には高い水平面利得が得られ、一方ヘリカルアンテナである第２のアンテナを使用する場合には高いアンテナ効率が得られるようにする。【解決手段】第１のアンテナエレメント３１の基端部に設けられるストッパ３３を絶縁部材により構成し、かつ第２のアンテナホルダ５２に設けられる折り返し給電バネ６２の基端部をアンテナ挿通孔５２ａ内にく字型に突出するように形成して、これにより折り返し給電バネ６２が第２のアンテナ４０Ａのエレメントホルダ４３に電気的に直接接触するように構成したものである。【選択図】　　図１
2004023640.tif 000002
【特許請求の範囲】
【請求項１】
ロッド状をなす第１のアンテナエレメントと螺旋状をなす第２のアンテナエレメントとがエレメント接続部により一体的に接続され、この接続された第１及び第２のアンテナエレメントが、その使用状態に応じて通信装置のアンテナ端子に対し択一的に接続されるアンテナ装置であって、
前記第１のアンテナエレメントに、当該第１のアンテナエレメントを前記アンテナ端子に対し電磁結合により接続するための絶縁部材からなる第１の給電端子を設け、
かつ前記第２のアンテナエレメントに、当該第２のアンテナエレメントを前記アンテナ端子に対し電気的に直接接続するための第２の給電端子を設けたことを特徴とするアンテナ装置。
【請求項２】
前記第１の給電端子は、第１のアンテナエレメントの基端部に当該第１のアンテナエレメントの前記通信装置からの脱落を防止するために設けられた絶縁部材からなるストッパであることを特徴とする請求項１記載のアンテナ装置。
【請求項３】
前記第１の給電端子は、第１のアンテナエレメントを覆う絶縁カバーを延在させて当該第１のアンテナエレメントの基端部を覆ったものであることを特徴とする請求項１記載のアンテナ装置。
【請求項４】
アンテナ装置と、無線回路と、この無線回路に接続されたアンテナ端子とを具備し、前記アンテナ装置はロッド状をなす第１のアンテナエレメントと螺旋状をなす第２のアンテナエレメントとがエレメント接続部により一体的に接続され、この接続された第１及び第２のアンテナエレメントが、その使用状態に応じて前記アンテナ端子に対し択一的に接続される移動通信端末であって、
前記アンテナ装置の第１のアンテナエレメントに、当該第１のアンテナエレメントを前記アンテナ端子に対し電磁結合により接続するための絶縁部材を使用した第１の給電端子を設け、
かつ前記アンテナ装置の第２のアンテナエレメントに、当該第２のアンテナエレメントを前記アンテナ端子に対し電気的に直接接続するための第２の給電端子を設けたことを特徴とする移動通信端末。
【請求項５】
前記第１の給電端子は、第１のアンテナエレメントの基端部に当該第１のアンテナエレメントの前記移動通信端末からの脱落を防止するために設けられた絶縁部材からなるストッパであることを特徴とする請求項４記載の移動通信端末。
【請求項６】
前記第１の給電端子は、第１のアンテナエレメントを覆う絶縁カバーを延在させて当該第２のアンテナエレメントの基端部を覆ったものであることを特徴とする請求項４記載の移動通信端末。
【発明の詳細な説明】
【０００１】
【発明の属する技術分野】
この発明は、携帯電話機やＰＤＡ（Ｐｅｒｓｏｎａｌ　Ｄｉｇｉｔａｌ　Ａｓｓｉｓｔａｎｔｓ）等の移動通信端末に設けられるアンテナ装置に係わり、特にロッドアンテナとヘリカルアンテナとから構成されるアンテナ装置と、このアンテナ装置を備えた移動通信端末に関する。
【０００２】
【従来の技術】
一般に、携帯電話機やＰＤＡ等の移動通信端末は、端末の小型化と受信感度の保持のために２個のアンテナを備えている。すなわち、第１のアンテナはロッドアンテナであり、端末筐体内に伸縮可能な状態に収容される。一方第２のアンテナはヘリカルアンテナであり、端末筐体の上部に固定される。そして、例えば通信時には第１のアンテナを端末筐体から引き出してこの第１のアンテナを使用して通信を行い、一方待ち受け時には第１のアンテナを端末筐体内に収容し代わりに第２のアンテナを使用して着信信号を受信する。このような構成により、通信時には第１のアンテナにより高感度の通信を行うことができ、一方待ち受け時には端末筐体外には第２のアンテナのみが突出することになるので可搬性を良好に保つことができる。
【０００３】
ところで、移動通信端末には音声通信機能以外に、メール通信機能やカメラを使用した画像通信機能等を備えた端末が多くなっている。メールの送受信やカメラを使用した画像通信を行う場合、ユーザは端末の表示画面を見ながら通信を行うため、一般に端末は傾けずに直立に近い状態で使用される。このため、第１のアンテナには高い水平面利得が要求される。高い水平面利得を得るには、ダイポールアンテナと同等の水平面利得を有するλ／２（λは無線周波数の波長）型のアンテナが有効である。しかし、λ／２型アンテナは、アンテナ下端でハイインピーダンスになるため、無線回路との間の整合を取ることが困難である。
【０００４】
そこで本発明者等は、特願２００１−０９３８７１に示すように、無線回路とλ／２型アンテナとの間を、整合回路及び電磁結合により接続する構成を提唱した。すなわち、印刷配線基板上にはλ／４長のパターンからなる整合回路が形成され、無線回路はこの整合回路を介して給電パッドに接続される。またそれと共に、上記給電パッドと第１のアンテナの下端との間は空隙又は絶縁体を介在することにより電磁結合される。このような構成であれば、整合回路のλ／４長パターンはモノポールアンテナと同等の入力インピーダンスを有するため、無線回路と整合回路との間では容易に整合を取ることができる。また、整合回路のλ／４長パターンの他端はハイインピーダンスとなる。このため、電磁結合を用いることで、上記整合回路と第１のアンテナの下端との間でも容易に整合を取ることができる。
【０００５】
【発明が解決しようとする課題】
ところがこのような構成では、第１のアンテナと整合回路との間ばかりでなく、第２のアンテナと上記整合回路との間も同様に電磁結合されることになる。このため、第２のアンテナと整合回路との間で結合損失が発生し、第２のアンテナの効率が低下する。一般に、第２のアンテナが使用される待ち受け状態では、端末はユーザのポケットや鞄の中に収容されることが多く、端末は弱電界に置かれる。このため、先に述べた第２のアンテナの効率低下は、待ち受け時の送受信品質の低下を招き非常に好ましくない。
【０００６】
この発明は上記事情に着目してなされたもので、その目的とするところは、第１のアンテナを使用する場合には高い水平面利得を得られるようにし、一方第２のアンテナを使用する場合には高いアンテナ効率を得ることができるアンテナ装置とこのアンテナ装置を備えた移動通信端末を提供することにある。
【０００７】
【課題を解決するための手段】
上記目的を達成するためにこの発明は、ロッド状をなす第１のアンテナエレメントと螺旋状をなす第２のアンテナエレメントとがエレメント接続部により一体的に接続され、この接続された第１及び第２のアンテナエレメントが、その使用状態に応じて通信装置のアンテナ端子に対し択一的に接続されるアンテナ装置にあって、上記第１のアンテナエレメントに絶縁部材を使用した第１の給電端子を設け、この第１の給電端子により第１のアンテナエレメントを上記アンテナ端子に対し電磁結合させるように構成する。またそれと共に、上記第２のアンテナエレメントには第２の給電端子を設け、この第２の給電端子により第２のアンテナエレメントを上記アンテナ端子に対し電気的に直接接続するように構成したものである。
【０００８】
したがってこの発明によれば、例えば無線通信を行うべく第１のアンテナエレメントが選択された状態では、第１のアンテナエレメントはアンテナ端子に対し電磁結合により接続される。このため、第１のアンテナエレメントとしてλ／２長のアンテナが使用される場合でも、ハイインピーダンスとなるエレメント基端部と無線回路との間の整合を容易に取ることが可能となる。したがって、第１のアンテナエレメントに水平面で高利得のアンテナ放射指向特性を発揮させることが可能となり、これによりユーザが端末の表示画面を見ながら無線通信を行う場合にも、通信品質を高品質に保つことができる。
【０００９】
これに対し、第２のアンテナエレメントが選択された状態では、この第２のアンテナエレメントはアンテナ端子に対し電気的に直接接続される。このため、第２のアンテナエレメントは高効率の送受信動作が可能となる。したがって、例えばこの第２のアンテナエレメントを待ち受け動作用として使用すれば、移動通信端末等の通信装置がユーザのポケットや鞄の中に収容された状態でも、高品質の待ち受け動作が可能となる。
【００１０】
具体的には、第１のアンテナエレメントの基端部に当該第１のアンテナエレメントの通信装置からの脱落を防止するために設けられているストッパを絶縁部材により構成し、この絶縁性を有するストッパを第１の給電端子として使用する。このように構成すると、第１のアンテナエレメントに絶縁部材からなる給電端子を新たに設ける必要がなく、既存のストッパを絶縁部材に代えるだけで簡単に実現できる利点がある。
【００１１】
また、第１のアンテナエレメントが絶縁カバーにより覆われている場合には、この絶縁カバーを延在させて第１のアンテナエレメントの基端部を覆い、これを第１の給電端子として使用する。このように構成すると、既存の絶縁カバーを延在するだけで簡単かつ安価に実現できる。
【００１２】
【発明の実施の形態】
（第１の実施形態）
この発明に係わるアンテナ装置の第１の実施形態は、ロッドアンテナからなる第１のアンテナとヘリカルアンテナからなる第２のアンテナとから構成され、移動通信端末の筐体内に進退自在に収容されるアンテナ装置にあって、上記第１のアンテナの基端部に設けられた脱落防止用のストッパを絶縁部材により構成し、アンテナホルダに設けた給電端子が第２のアンテナに対しては電気的に直接接触し、一方第１のアンテナに対しては上記絶縁性ストッパを介して電磁結合により接続するように構成したものである。
【００１３】
図１は、この発明に係わるアンテナ装置の第１の実施形態を示す部分縦断面図である。本実施形態のアンテナ装置は、ロッドアンテナからなる第１のアンテナ３０Ａと、ヘリカルアンテナからなる第２のアンテナ４０Ａとを備える。
【００１４】
第１のアンテナ３０Ａは、λ／２長の第１のアンテナエレメント３１を有し、その周囲を絶縁カバー３２により被覆すると共に、基端部に絶縁部材からなるストッパ３３を取着したものである。このストッパ３３は、第１のアンテナ３０Ａを後述する移動通信端末の上端部から上方へ引き出した際のストッパとして機能すると共に、移動通信端末内の無線回路から供給される無線高周波信号を電磁結合により受信する給電端子としても機能する。なお、第１のアンテナエレメント３１としては、例えば屈曲可能なニッケルチタン合金が用いられる。
【００１５】
第２のアンテナ４０Ａは、銅線を螺旋状に巻回して構成した第２のアンテナエレメント４１を備える。この第２のアンテナエレメント４１は、アルミニウム等の金属により構成されるエレメントホルダ４３に取着され、かつ例えばＡＢＳ樹脂からなるキャップ４２により被覆される。上記エレメントホルダ４３は、移動通信端末の無線回路から供給される無線高周波信号を受信する給電端子としての機能を有する。
【００１６】
また上記エレメントホルダ４３の下端部は、上記第１のアンテナエレメント３１の上端部に対し、例えばナイロン樹脂からなるアンテナ接続部材６０を介して接続されている。これにより第１のアンテナ３０Ａと第２のアンテナ４０Ａとは、電気的に相互に分離された状態で構造的に一体化されている。
【００１７】
またこの実施形態のアンテナ装置は、上記第１及び第２のアンテナ３０Ａ，４０Ａを後述する移動通信端末に対し上下方向に移動可能な状態に取着するために、第１及び第２のアンテナホルダ５１，５２を備えている。
【００１８】
第１のアンテナホルダ５１は、大径部と小径部とを有する樹脂製の筒体からなる。この筒体の孔部には、上記アンテナ接続部材６０により一体化された第１のアンテナ３０及び第２のアンテナ４０のエレメントホルダ４３が、その軸方向に移動可能に挿通される。また上記小径部の外周面にはネジ山が形成してあり、小径部はこのネジ山により移動通信端末の筐体に設けられている取り付け孔に螺着される。
【００１９】
第２のアンテナホルダ５２は、図２及び図３に示すように直方体をなす誘電体ブロックの中心部にアンテナ挿通孔５２ｂを設けている。このアンテナ挿通孔５２ｂには、上記第１のアンテナホルダ５１と同様に、上記アンテナ接続部材６０により一体化された第１のアンテナ３０及び第２のアンテナ４０のエレメントホルダ４３が、その軸方向に移動可能に挿通される。
【００２０】
また、この第２のアンテナホルダ５２の一面には、折り返し構造をなす給電バネ６２が取着してある。この折り返し給電バネ６２の基端部はアンテナ挿通孔５２ａ内にく字型に突出するように形成されている。一方、上記折り返し給電バネ６６の先端部は、第２のアンテナホルダ５１の外部へく字型に突出するように形成されている。
【００２１】
図４は、以上のように構成されたアンテナ装置を取り付けた移動通信端末の構成を示すもので、（ａ）は正面から見た部分断面図、（ｂ）及び（ｃ）は側面からみた部分断面図である。
【００２２】
端末筐体１０内には回路基板２０が収容されている。この回路基板２０には無線回路２１等の各種回路が実装される。また、上記回路基板２０の上端部には、基板突出部２２が設けてある。この基板突出部２２上には、給電パッド６１と、インピーダンス整合回路７０とがそれぞれ設けてある。このうちインピーダンス整合回路７０は、図示するごとく折り返しパターンからなる。
【００２３】
アンテナ装置は、端末筐体１０の上端部に、上下方向に移動可能な状態に、アンテナ支持部材としての第１及び第２のアンテナホルダ５１，５２により取り付けられる。第１のアンテナホルダ５１は、端末筐体１０の上端部に設けられたアンテナ取り付け孔部に、端末筐体１０の外側からねじ込むことにより固定される。第２のアンテナホルダ５２は、端末筐体１０内において上記第１のアンテナホルダ５１に嵌合される。この嵌合された状態で第２のアンテナホルダ５２は、上記回路基板２０に設けられた給電パッド６１に対向するように位置決めされている。したがって、折り返し給電バネ６１の先端部は上記給電パッド６１に常時当接する。
【００２４】
このような構成であるから、先ず第１のアンテナ３０Ａを端末筐体１０内に収容した状態では、図４（ｂ）に示すように第２のアンテナ４０Ａのエレメントホルダ４３が、第２のアンテナホルダ５２のアンテナ挿通孔５２ｂ内において折り返し給電バネ６２の基端部に電気的に直接接触し、この結果第２のアンテナエレメント４１と給電パッド６１との間が電気的に接続される。
【００２５】
このため、無線回路２１から出力された無線高周波信号は、整合回路７０、給電パッド６１、折り返し給電バネ６２及びエレメントホルダ４３を介して第２のアンテナエレメント４１に供給され、これにより第２のアンテナ４０が励振されて送信アンテナとして機能する。また、第２のアンテナエレメント４１により受信された無線高周波信号は、上記送信の場合とは逆の経路で無線回路２１に伝達され受信処理される。
【００２６】
このとき、上記したように第２のアンテナ４０Ａのエレメントホルダ４３は、折り返し給電バネ６２の基端部に電気的に直接接触する。したがって、第２のアンテナエレメント４１と無線回路２１との間の結合損失は低く抑えられ、この結果第２のアンテナ４０Ａは高効率で送受信動作を行うことが可能となる。
【００２７】
一方、第２のアンテナ４０Ａを上方へ引っ張り上げることにより第１のアンテナ３０Ａを端末筐体１０の外へ引き出したとする。この状態では、図４（ｃ）に示すように第１のアンテナ３０Ａの基端部に設けられたストッパ３３が、第２のアンテナホルダ５２のアンテナ挿通孔５２ｂ内において折り返し給電バネ６２の基端部に接触する。このとき、ストッパ３３は絶縁材料により構成されている。このため、上記折り返し給電バネ６２と第１のアンテナエレメント３１との間は、ストッパ３３を隔てて電磁結合されることになる。このため、第１のアンテナ３０Ａとしてλ／２長のロッドアンテナエレメント３１を用いた場合でも、整合回路７０と第１のアンテナエレメント３１の基端部との間は容易に整合を取ることができる。また、整合回路７０の折り返しパターンはλ／４長パターンであり、モノポールアンテナと同等の入力インピーダンスを有するため、無線回路２１と給電パッド６１との間でも容易に整合を取ることができる。
【００２８】
以上述べたように第１の実施形態では、第１のアンテナエレメント３１の基端部に設けられるストッパ３３を絶縁部材により構成し、かつ第２のアンテナホルダ５２に設けられる折り返し給電バネ６２の基端部をアンテナ挿通孔５２ａ内にく字型に突出するように形成して、これにより折り返し給電バネ６２が第２のアンテナ４０Ａのエレメントホルダ４３に電気的に直接接触するように構成している。
【００２９】
したがって、第１のアンテナ３０Ａを端末筐体１０内に収容した状態では、第２のアンテナ４０Ａのエレメントホルダ４３は、折り返し給電バネ６２の基端部に電気的に直接接触する。したがって、第２のアンテナエレメント４１と無線回路２１との間の結合損失は低く抑えられ、この結果第２のアンテナ４０Ａは高効率で送受信動作を行うことが可能となる。
【００３０】
これに対し、第１のアンテナ３０Ａを端末筐体１０の外へ引き出した状態では、折り返し給電バネ６２と第１のアンテナエレメント３１との間は、ストッパ３３を隔てて電磁結合されることになる。このため、第１のアンテナ３０Ａとしてλ／２長のロッドアンテナエレメント３１を用いた場合でも、整合回路７０と第１のアンテナエレメント３１の基端部との間では容易に整合を取ることができる。このため、第１のアンテナ３０Ａにより高い水平面利得を得ることができ、この結果例えばメールの送受信やカメラを使用した画像通信を行う場合のように、端末の表示画面を見ながら通信を行う場合において、効率のよい無線送受信動作を行うことができる。
【００３１】
（第２の実施形態）
この発明の第２の実施形態は、絶縁部材からなるストッパを用いる代わりに、第１のアンテナエレメントの絶縁カバーを延在してこの絶縁カバーにより第１のアンテナエレメントの基端部を被覆し、この絶縁カバーにより被覆された基端部に金属部材からなるストッパを装着することにより、第１のアンテナエレメントが給電バネに対し電磁結合するように構成したものである。
【００３２】
図５は、この発明に係わるアンテナ装置の第２の実施形態を示す部分縦断面図である。なお、同図において前記図１と同一部分には同一符号を付して詳しい説明は省略する。
【００３３】
第１のアンテナ３０Ｂは、第１のアンテナエレメント３１の絶縁カバー３４が当該アンテナエレメント３１の基端部方向へ延長され、この絶縁カバー３４により基端部３１ａ周面を被覆している。そして、この絶縁カバー３４が被覆された基端部３１ａに、金属材料からなるストッパ３５が装着される。
【００３４】
このような構成であるから、第１のアンテナ３０Ｂを移動通信端末の筐体１０の外へ引き出した状態では、先に図４（ｃ）に示した場合と同様に、第１のアンテナ３０Ｂの基端部３１ａに設けられたストッパ３５が、第２のアンテナホルダ５２のアンテナ挿通孔５２ｂ内において折り返し給電バネ６２の基端部に接触する。このとき、ストッパ３５は金属部材により構成されているが、第１のアンテナエレメント３１の基端部３１ａは絶縁カバー３４により被覆されている。このため、上記折り返し給電バネ６２と第１のアンテナエレメント３１との間は、絶縁カバー３４を隔てて電磁結合されることになる。
【００３５】
したがって、第１のアンテナ３０Ｂとしてλ／２長のロッドアンテナエレメント３１を用いた場合でも、整合回路７０と第１のアンテナエレメント３１の基端部３１ａとの間は容易に整合を取ることができる。このため、第１のアンテナ３０Ｂにより高い水平面利得を得ることができ、これにより例えばメールの送受信やカメラを使用した画像通信を行う場合のように、端末の表示画面を見ながら通信を行う場合において、効率のよい無線送受信動作を行うことが可能となる。
【００３６】
なお、第１のアンテナ３０Ｂを端末筐体１０内に収容した状態では、先に図４（ｂ）に示した場合と同様に第２のアンテナ４０Ａのエレメントホルダ４３が、第２のアンテナホルダ５２のアンテナ挿通孔５２ｂ内において折り返し給電バネ６２の基端部に電気的に直接接触し、この結果第２のアンテナエレメント４１と給電パッド６１との間は電磁結合を用いずに電気的に直接接続される。したがって、第２のアンテナエレメント４１と無線回路２１との間の結合損失は低く抑えられ、この結果第２のアンテナ４０Ａは高効率で送受信動作を行うことが可能となる。
【００３７】
（その他の実施形態）
前記第１及び第２の実施形態では、第１のアンテナエレメント３１と第２のアンテナエレメント４１とが電気的に分離された、いわゆるガルトロタイプのアンテナ装置を例にとって説明した。しかし、これに限るものではなく、第１のアンテナエレメント３１と第２のアンテナエレメント４１とが電気的に接続されるタイプのアンテナ装置にも、この発明は適用可能である。
【００３８】
図６はその構成の一例を示すもので、第２のアンテナ４０Ｂのエレメントホルダ４４にはエレメント接点４５が設けてある。このエレメント接点４５は、第１のアンテナエレメント３１の先端部に電気的に接触し、これにより第２のアンテナエレメント４１と第１のアンテナエレメント３１とが電気的に接続される。
【００３９】
このような構成においても、第１のアンテナ３０Ａを端末筐体１０の外へ引き出した状態では、第１のアンテナエレメント３１の基端部は絶縁部材からなるストッパ３３を介して折り返し給電バネ６２に電磁結合される。一方、第１のアンテナ３０Ａを端末筐体１０内に収容した状態では、第２のアンテナ４０Ｂのエレメントホルダ４４が折り返し給電バネ６２に電気的に直接接触する。
【００４０】
したがって、第１のアンテナ３０Ａを端末筐体１０の外に引き出した状態では高い水平面利得が得られ、これにより例えば端末を直立させた状態で使用する場合に良好な通信品質を得ることができる。これに対し第１のアンテナ３０Ａを端末筐体１０内に収容した状態では、無線回路２１とアンテナエレメントとの間の結合損失は低く抑えられて高効率のアンテナを構成でき、これにより高品質の待ち受け動作を実現できる。
【００４１】
また、前記各実施形態では第２のアンテナホルダ５２に折り返し給電バネ６２を設けた場合を例にとって説明したが、回路基板側に給電バネ等のアンテナ接点を設けるようにしてもよい。
【００４２】
さらに前記各実施形態では、携帯電話機を例にとって説明したが、ＰＤＡ（Ｐｅｒｓｏｎａｌ　Ｄｉｇｉｔａｌ　Ａｓｓｉｓｔａｎｔｓ）等の携帯情報端末や、モバイル形のパーソナル・コンピュータ等のその他の移動通信端末にも、この発明を適用することができる。
【００４３】
その他、移動通信端末の筐体の形状と構造、回路基板及び基板突出部の形状や大きさ、インピーダンス整合回路の回路パターンの構成、ストッパ及び絶縁カバーとして使用する絶縁部材の材質、第１及び第２のアンテナエレメントの材質やその長さ、アンテナ装置の構成等についても、この発明の要旨を逸脱しない範囲で種々変形して実施できる。
【００４４】
【発明の効果】
以上詳述したようにこの発明では、ロッド状をなす第１のアンテナエレメントと螺旋状をなす第２のアンテナエレメントとがエレメント接続部により一体的に接続され、この接続された第１及び第２のアンテナエレメントが、その使用状態に応じて通信装置のアンテナ端子に対し択一的に接続されるアンテナ装置にあって、上記第１のアンテナエレメントに絶縁部材を使用した第１の給電端子を設け、この第１の給電端子により第１のアンテナエレメントを上記アンテナ端子に対し電磁結合させるように構成している。またそれと共に、上記第２のアンテナエレメントには第２の給電端子を設け、この第２の給電端子により第２のアンテナエレメントを上記アンテナ端子に対し電気的に直接接続するように構成している。
【００４５】
したがってこの発明によれば、ロッドアンテナである第１のアンテナを使用する場合には高い水平面利得が得られることにより例えば端末を直立させた状態で使用する場合に良好な通信品質を得ることができ、一方ヘリカルアンテナである第２のアンテナを使用する場合には高いアンテナ効率が得られることにより例えば待ち受け時において高品質の待ち受け動作を可能にしたアンテナ装置とこのアンテナ装置を備えた移動通信端末を提供することができる。
【図面の簡単な説明】
【図１】この発明に係わるアンテナ装置の第１の実施形態を示す部分縦断面図。
【図２】図１に示したアンテナ装置における第２のアンテナホルダの構造を示す斜視図。
【図３】図２に示した第２のアンテナホルダの構造を示す正面図。
【図４】図１に示したアンテナ装置を備えた移動通信端末の正面及び側面から見た要部の部分断面図。
【図５】この発明に係わるアンテナ装置の第２の実施形態を示す部分縦断面図。
【図６】この発明に係わるアンテナ装置のその他の実施形態を示す部分縦断面図。
【符号の説明】
１０…端末筐体
２０…回路基板
２１…無線回路
２２…基板突出部
３０Ａ，３０Ｂ…第１のアンテナ
３１…第１のアンテナエレメント
３１ａ…第１のアンテナエレメントの基端部
３２，３４…絶縁カバー
３３…絶縁部材からなるストッパ
３５…金属部材からなるストッパ
４０Ａ，４０Ｂ…第２のアンテナ
４１…第２のアンテナエレメント
４２…キャップ
４３，４４…エレメントホルダ
４５…エレメント接点
５１…第１のアンテナホルダ
５２…第２のアンテナホルダ
５２ａ…ホルダ本体
５２ｂ…アンテナ挿入孔
６０…アンテナ接続部材
６１…給電パッド
６２…折り返し給電バネ
７０…折り返しパターンからなる整合回路
【図１】
2004023640.tif 000003
【図２】
2004023640.tif 000004
【図３】
2004023640.tif 000005
【図４】
2004023640.tif 000006
【図５】
2004023640.tif 000007
【図６】
2004023640.tif 000008